(57)【特許請求の範囲】
【請求項１】
内部に補聴器を駆動するための電池が収納されているとともに一方向に長い補聴器本体ケースに対し、該補聴器本体ケースの長手方向一端側に取り付けられる本体ケースと、
前記本体ケースに設けられていて、該本体ケースを前記補聴器本体ケースに取り付けた状態で該補聴器本体ケースの長手方向一端側に設けられた外部端子に電気的に接続される接続端子と、
前記接続端子及び外部端子を介して補聴器に電力を供給する予備用電池と、を備えており、
前記本体ケースには、その内方に、前記補聴器本体ケースに設けられた窪みに対して係脱可能な係合部が設けられており、
前記補聴器内の電池の残容量が少なくなった場合でも、前記補聴器に取り付けられることにより前記補聴器を継続して駆動することができる、補聴器用予備バッテリ。
【請求項２】
請求項１に記載の補聴器用予備バッテリにおいて、
前記本体ケースは、前記補聴器本体ケースよりも比重の小さい材料によって構成されている、補聴器用予備バッテリ。
【請求項３】
請求項１または２に記載の補聴器用予備バッテリにおいて、
前記本体ケースは、前記補聴器本体ケースの長手方向一端側を覆うように有底筒状に形成されている、補聴器用予備バッテリ。
【請求項４】
請求項１から３のいずれか一つに記載の補聴器用予備バッテリにおいて、
前記予備用電池は、充放電可能な二次電池であり、
前記予備用電池を充電するための充電部を有している、補聴器用予備バッテリ。
【請求項５】
請求項４に記載の補聴器用予備バッテリにおいて、
前記充電部は、前記予備用電池を充電するための電力を供給する充電ユニットとの間で電磁誘導を利用して電力を受け取ることができる受電コイルを備えている、補聴器用予備バッテリ。
【請求項６】
請求項１〜５のいずれか一項に記載の補聴器用予備バッテリにおいて、
前記本体ケースの内面には、前記係合部を収納可能な凹部が形成されていて、
前記凹部内には、前記係合部を前記本体ケースの内面と交差する方向に変位可能に弾性支持しつつ、該本体ケース内に前記補聴器本体ケースが挿入された状態では前記係合部を該補聴器本体ケースに付勢する弾性支持部が設けられている、補聴器用予備バッテリ。
【請求項７】
請求項１〜５のいずれか一項に記載の補聴器用予備バッテリにおいて、
前記係合部は、弾性部材によって構成されている、補聴器用予備バッテリ。
【請求項８】
請求項１から７のいずれか一つに記載の補聴器用予備バッテリにおいて、
前記接続端子は、前記補聴器本体ケースにおいて前記本体ケース内への進入方向の先端側に形成された前記外部端子と電気的に接続されるように、前記本体ケース内の底部に設けられている、補聴器用予備バッテリ。
【請求項９】
請求項１から８のいずれか一つに記載の補聴器用予備バッテリにおいて、
前記予備用電池は、前記補聴器本体ケース内に収納されている電池である二次電池に電力を供給するように構成されている、補聴器用予備バッテリ。
【発明の詳細な説明】
【技術分野】
【０００１】
本発明は、補聴器内の電池の残容量が少ない場合などに該補聴器に対して電力を供給する補聴器用予備バッテリに関する。
【背景技術】
【０００２】
従来より、１次電池を電源とする補聴器が広く知られている。このような補聴器では、電池の残容量が少なくなった場合には、電池の交換が必要になる。耳などに装着する補聴器は、一般的に小型であり、電池交換には細かい作業が必要になるため、補聴器の電池交換作業は、補聴器の利用者の大半を占める高齢者にとっては大変面倒な作業であった。
【０００３】
そこで、例えば、特許文献１に開示されるように、補聴器のケースに凸部を設けて、電池の交換作業を行いやすいように構成されたものが知られている。
【先行技術文献】
【特許文献】
【０００４】
【特許文献１】特開２０１０−２２０１８８号公報
【発明の概要】
【発明が解決しようとする課題】
【０００５】
ところで、上述のように、１次電池を補聴器の電源とした場合には必ず電池交換作業が発生する。これに対し、補聴器の電源として２次電池を用いることによって、電池の交換作業を不要にすることが考えられる。そして、このように２次電池を補聴器の電源として利用する場合には、電池交換が不要になるため、２次電池を補聴器内に封入する構成が考えられる。
【０００６】
ところが、２次電池を補聴器内に封入した場合、電池交換を容易に行うことができないため、例えば外出時などに２次電池の残容量がほとんどなくなった場合には補聴器を使用できなくなるおそれがある。また、一般的に、１次電池と２次電池とでは定格電圧が異なるため、２次電池用に設計された補聴器に対して、緊急時（外出時に２次電池の残容量がほとんどなくなった場合など）にのみ１次電池を使用することは難しい。
【０００７】
そのため、本発明では、補聴器の電池の残容量が少なくなった場合でも、補聴器を継続して駆動可能な構成を実現することを目的とする。
【課題を解決するための手段】
【０００８】
本発明の一実施形態にかかる補聴器用予備バッテリは、内部に補聴器を駆動するための電池が収納されているとともに一方向に長い補聴器本体ケースに対し、該補聴器本体ケースの長手方向一端側に取り付けられる本体ケースと、前記本体ケースに設けられていて、該本体ケースを前記補聴器本体ケースに取り付けた状態で該補聴器本体ケースの長手方向一端側に設けられた外部端子に電気的に接続される接続端子と、前記接続端子及び外部端子を介して補聴器に電力を供給する予備用電池と、を備えている（第１の構成）。
【０００９】
以上の構成により、外部端子を有する補聴器に対して、補聴器用予備バッテリを容易に接続して、該補聴器用予備バッテリから補聴器に電力を供給することができる。これにより、外出時等で補聴器内の電池の残容量が少なくなった場合でも、該補聴器を継続して駆動させることが可能になる。
【００１０】
しかも、補聴器用予備バッテリは、一方向に長い補聴器本体ケースの長手方向一端側に取り付けられるため、該補聴器用予備バッテリを補聴器本体ケースに接続した状態では、該補聴器本体ケースを延長したような形状になる。これにより、例えば、耳かけ型の補聴器の場合でも、使用者が大きな違和感を受けることなく、補聴器に補聴器用予備バッテリを接続することができる。
【００１１】
前記第１の構成において、前記本体ケースは、前記補聴器本体ケースよりも比重の小さい材料によって構成されている（第２の構成）。これにより、補聴器用予備バッテリの軽量化を図ることができる。よって、補聴器用予備バッテリを補聴器に装着した状態でも、大きな違和感なく使用し続けることが可能になる。
【００１２】
前記第１または第２の構成において、前記本体ケースは、前記補聴器本体ケースの長手方向一端側を覆うように有底筒状に形成されている（第３の構成）。これにより、補聴器本体ケースに対して、補聴器予備バッテリをより確実に装着することができる。しかも、補聴器予備バッテリの本体ケースが補聴器本体ケースと重なっているため、補聴器に対して補聴器予備バッテリをよりコンパクトに装着することが可能になる。
【００１３】
前記第１から第３の構成のうちいずれか一つの構成において、前記予備用電池は、充放電可能な二次電池であり、前記予備用電池を充電するための充電部を有している（第４の構成）。こうすることで、補聴器用予備バッテリの予備用電池を交換する必要がなくなる。
【００１４】
前記第４の構成において、前記充電部は、前記予備用電池を充電するための電力を供給する充電ユニットとの間で電磁誘導を利用して電力を受け取ることができる受電コイルを備えている（第５の構成）。
【００１５】
これにより、電磁誘導を利用して補聴器用予備バッテリの予備用電池を容易に充電することができる。すなわち、上述の構成のように電磁誘導を利用して充電を行うことで、接点を有する構成のように接点同士を互いに接触させる必要がないので、特に位置決めすることなく補聴器用予備バッテリの予備用電池を容易に充電することができる。
【００１６】
前記第１から第５の構成のうちいずれか一つの構成において、前記本体ケースには、その内方に、前記補聴器本体ケースに設けられた窪みに対して係脱可能な係合部が設けられている（第６の構成）。
【００１７】
これにより、補聴器本体ケースに対して補聴器用予備バッテリの本体ケースを容易に着脱することができる。
【００１８】
前記第６の構成において、前記本体ケースの内面には、前記係合部を収納可能な凹部が形成されていて、前記凹部内には、前記係合部を前記本体ケースの内面と交差する方向に変位可能に弾性支持しつつ、該本体ケース内に前記補聴器本体ケースが挿入された状態では前記係合部を該補聴器本体ケースに付勢する弾性支持部が設けられている（第７の構成）。
【００１９】
こうすることで、補聴器用予備バッテリの本体ケースに設けられた係合部を、補聴器本体ケースに設けられた窪みに対して容易に着脱することができる。すなわち、補聴器用予備バッテリの本体ケース内に補聴器を挿入する際には、係合部が変位して、該係合部が補聴器本体ケースに設けられた窪みに係合するまでの間、補聴器の相対移動を容易にする。また、補聴器を補聴器用予備バッテリの本体ケースから抜き出すときにも、前記係合部が変位して、該係合部が補聴器本体ケースの窪みから脱離するのを容易にする。そして、前記係合部が補聴器本体ケースの窪み内に位置付けられているときには、該係合部が窪みに押し付けられるため、補聴器から補聴器用予備バッテリが容易に脱離するのを防止できる。
【００２０】
前記第６の構成において、前記係合部は、弾性部材によって構成されている（第８の構成）。これにより、上述の第７の構成と同様、補聴器用予備バッテリの本体ケースを補聴器本体ケースに対して容易に着脱することができるとともに、係合部が補聴器本体ケースの窪みと係合しているときには、本体ケースが補聴器本体ケースから脱離するのを防止できる。
【００２１】
前記第１から第８の構成のうちいずれか一つの構成において、前記接続端子は、前記補聴器本体ケースにおいて前記本体ケース内への進入方向の先端側に形成された前記外部端子と電気的に接続されるように、前記本体ケース内の底部に設けられている（第９の構成）。
【００２２】
これにより、補聴器に対して補聴器用予備バッテリの本体ケースを取り付けた際に、補聴器本体ケースに設けられた外部端子が、補聴器用予備バッテリの本体ケースに設けられた接続端子に電気的に接続される。よって、上述の構成により、補聴器を補聴器用予備バッテリの本体ケースの奥まで挿入することで、該補聴器と補聴器用予備バッテリとをより確実に電気的に接続することができる。
【００２３】
前記第１から第９の構成のうちいずれか一つの構成において、前記予備用電池は、前記補聴器本体ケース内に収納されている電池である二次電池に電力を供給するように構成されている（第１０の構成）。
【００２４】
補聴器本体ケース内に収納されている二次電池の残容量が残り少なくなった場合でも、上述のように、補聴器用予備バッテリによって二次電池を充電することで、補聴器を継続して駆動することが可能になる。
【発明の効果】
【００２５】
本発明の一実施形態にかかる補聴器用予備バッテリによれば、補聴器本体ケースの長手方向一端側に接続される本体ケースと、補聴器本体ケースに設けられた外部端子に電気的に接続される接続端子と、補聴器に電力を供給する予備用電池とを備えている。これにより、補聴器に対して補聴器用予備バッテリを取り付けるだけで、該補聴器に容易に電力を供給できる。よって、補聴器の電池の残容量が少なくなった場合でも、該補聴器に補聴器用予備バッテリを容易に取り付けて該補聴器を継続して駆動することができる。
【図面の簡単な説明】
【００２６】
【図１】図１は、本発明の実施形態１に係る補聴器用予備バッテリを補聴器に取り付ける様子を示す図である。
【図２】図２は、実施形態１に係る補聴器用予備バッテリの概略構成を示す断面図である。
【図３】図３は、補聴器用予備バッテリと補聴器本体部との取り付け部分の構成を拡大して示す図である。
【図４】図４は、バッテリケースに設けた係合ピンの動作を示す図である。
【図５】図５は、補聴器用予備バッテリを充電ユニットによって充電している様子を示す図である。
【図６】図６は、実施形態２に係る補聴器用予備バッテリの概略構成を示す断面図である。
【図７】図７は、実施形態３に係る補聴器用予備バッテリの概略構成を示す断面図である。
【図８】図８は、実施形態４に係る補聴器用予備バッテリの概略構成を示す断面図である。
【図９】図９は、実施形態５に係る補聴器用予備バッテリと補聴器本体部との接続構造を示す部分断面図である。
【図１０】図１０は、実施形態６に係る補聴器用予備バッテリと補聴器本体部との接続構造を示す部分断面図である。
【図１１】図１１は、実施形態７に係る補聴器用予備バッテリと補聴器本体部との接続構造を示す図である。
【発明を実施するための形態】
【００２７】
以下、図面を参照し、本発明の実施の形態を詳しく説明する。図中の同一または相当部分については同一の符号を付してその説明は繰り返さない。
【００２８】
［実施形態１］
図１は、本発明の実施形態１に係る補聴器用予備バッテリ１を、補聴器２に取り付ける様子を示す図である。この補聴器用予備バッテリ１は、補聴器２の補聴器本体部１０の一端側に取り付け可能なように、有底筒状に形成されている。補聴器用予備バッテリ１及び補聴器２は、詳しくは後述するように、補聴器用予備バッテリ１内の予備用電池２２から補聴器２に対して電力を供給可能に構成されている。なお、補聴器用予備バッテリ１は、補聴器２内の電池（図示省略）の残容量が少なくなった場合に使用される予備用バッテリである。
【００２９】
補聴器２は、図示しない増幅回路や制御回路等が内部に収納された補聴器本体部１０と、該補聴器本体部１０に接続されるフック部１２と、該フック部１２に接続されるチューブ部１３とを備えている。補聴器本体部１０およびフック部１２は、耳を囲むように全体として円弧状に形成されている。すなわち、本実施形態の補聴器２は、耳にかけて固定するタイプの耳かけ型補聴器である。
【００３０】
補聴器本体部１０は、特に図示しないが、補聴器本体ケース１１内に、外部の音を増幅するための増幅回路や補聴器の駆動を制御するための制御回路、これらの回路に電力を供給する電池等を有している。補聴器本体ケース１１は、例えばＡＢＳ樹脂（アクリロニトリル、ブタジエン、スチレン共重合合成樹脂）などの樹脂材料によって構成される。また、補聴器本体ケース１１は、側面視で、耳の後頭部側に沿うように一方向に長く且つ全体として緩やかな円弧状に形成されているとともに、耳の後頭部側に隠れるような厚みを有している。補聴器本体ケース１１は、補聴器２を装着した状態で使用者の頭部側に位置する頭部側側面１１ａと、該頭部側側面１１ａに対向する外側面１１ｂと、該頭部側側面１１ａと外側面１１ｂとの間で補聴器２の厚み方向に延びる周側面１１ｃとを有している。
【００３１】
補聴器本体ケース１１には、周側面１１ｃのうち該補聴器本体ケース１１の長手方向の一端側の部分に、フック部１２の一方の端部が接続されている。さらに、補聴器本体ケース１１には、図３にも示すように、周側面１１ｃのうち、フック部１２が接続されていない他端側の部分に、補聴器用予備バッテリ１の接続端子２５（後述）と電気的に接触可能な外部端子１５が設けられている。この外部端子１５は、補聴器本体部１０内の電池に電気的に接続されていて、該電池を充電する際に充電器の端子と電気的に接触するための端子として機能する。なお、外部端子１５を、補聴器用予備バッテリ１と電気的に接続するための専用の端子としてもよい。
【００３２】
また、図１及び図３に示すように、補聴器本体ケース１１の周側面１１ｃのうち、補聴器２を装着した状態で耳側及び後頭部側に位置する部分には、それぞれ、窪み１１ｄが形成されている。これらの窪み１１ｄは、補聴器本体ケース１１の周側面１１ｃにおいて、図３に示すように、補聴器用予備バッテリ１のバッテリケース２１（後述）に設けられた係合ピン２８（後述）と係合した状態で、該補聴器本体部１０の外部端子１５を補聴器用予備バッテリ１の接続端子２５（後述）に押し付けるような位置に設けられている。なお、図１に示す構成では、一例として補聴器本体ケース１１の厚み方向に延びるように窪み１１ｄを形成しているが、この限りではなく、窪み１１ｄは点状の窪みであっても良い。
【００３３】
また、特に図示しないが、補聴器本体ケース１１には、頭部側側面１１ａ、外側面１１ｂ及び周側面１１ｃの少なくとも一つに、該補聴器本体ケース１１の長手方向に延びる切れ込みが形成されている。この切れ込みは、後述する補聴器用予備バッテリ１のバッテリケース２１の内周面に形成された突起部（図示省略）と係合するように形成されている。こうすることで、補聴器用予備バッテリ１と補聴器２とを位置決めした状態で接続することが可能になる。
【００３４】
補聴器本体ケース１１内に収納されている電池は、充放電可能な二次電池である。このように、補聴器２に用いる電池として二次電池を用いることで、電池の交換作業が不要になる。よって、補聴器本体ケース１１は、補聴器２の電池を内部に封入した構成であってもよい。
【００３５】
フック部１２は、樹脂製の部材であり、図１に示すように、耳の上部に沿うように、全体として略円弧状に形成されている。また、フック部１２は、一方の端部が他方の端部よりも太くなるように形成されている。フック部１２の太い方の端部は、補聴器本体ケース１１の長手方向の一端側に接続されている。フック部１２の内部には、補聴器本体部１０から出力される音を伝えるための音伝導通路(図示省略)が形成されている。
【００３６】
チューブ部１３は、チューブ状の樹脂製部材からなり、可撓性を有する。このチューブ部１３は、その内部空間がフック部１２の音伝導通路に連通するように、一端側がフック部１２の細い方の端部に接続されている。一方、チューブ部１３の他端側には、使用者の耳内に挿入される耳栓部１４が設けられている。
【００３７】
上述のような構成により、補聴器２は、外部の音を補聴器本体部１０で増幅して、その増幅された音を、フック部１２及びチューブ部１３を介して耳栓部１４から使用者の耳内に伝えることができる。これにより、使用者は、外部の音を、増幅された音として聞くことが可能となる。
【００３８】
補聴器用予備バッテリ１は、全体として有底筒状に形成されていて、補聴器本体部１０におけるフック部１２が接続される側とは反対側（他端側）に取り付け可能に構成されている。すなわち、補聴器用予備バッテリ１は、その内部に補聴器本体部１０の他端側を挿入可能に構成されている。また、補聴器用予備バッテリ１は、図２及び図３に示すように、有底筒状のバッテリケース２１（本体ケース）と、その内方下部に配置される予備用電池２２及び回路部２３とを備えている。
【００３９】
バッテリケース２１は、補聴器本体部１０の一部を収納可能な有底筒状に形成された樹脂製の部材である。このバッテリケース２１は、補聴器本体ケース１１を構成する樹脂（ＡＢＳ樹脂）よりも比重の小さい樹脂（例えばポリエチエン、ポリプロピレン、ＥＶＡ（エチレン−酢酸ビニル共重合樹脂）など）によって構成される。
【００４０】
また、バッテリケース２１には、予備用電池２２及び回路部２３を内部に収納した状態でそれらを覆うように底板２４（底部）が設けられている。この底板２４上には、バッテリケース２１内に補聴器本体部１０を挿入した状態で該補聴器本体部１０の外部端子１５が接触する位置に、予備用電池２２と電気的に接続された接続端子２５が設けられている。この接続端子２５は、バネ部２６を介して底板２４上に取り付けられている。これにより、接続端子２５が補聴器本体部１０の外部端子１５と接触する際に、バネ部２６によって接続端子２５を補聴器本体部１０の外部端子１５に対して付勢することができ、外部端子１５と接続端子２５とをより確実に接触させることができる。なお、本実施形態では、接続端子２５をバネ部２６によって弾性支持しているが、この限りではなく、該接続端子２５を補聴器本体部１０の外部端子１５に対して押し付けられるような構成であればバネ以外の構成であってもよい。また、接続端子２５自体がバネとして機能するように構成されていてもよい。
【００４１】
また、バッテリケース２１には、その底面に、後述する充電ユニット３の端子と接触する外部端子２７が設けられている。この外部端子２７は、バッテリケース２１内で、回路部２３を介して予備用電池２２に電気的に接続されている。このような外部端子２７を設けることによって、充電ユニット３から供給される電力を補聴器用予備バッテリ１内に取り込むことが可能になる。
【００４２】
さらに、バッテリケース２１には、その内面開口側に、補聴器本体ケース１１に形成された窪み１１ｄと係合する係合ピン２８（係合部）が設けられている。この係合ピン２８は、先端部分が半球状に形成されていて、バッテリケース２１の内面に形成された凹部２１ａに対してバネ部２９（弾性支持部）によって弾性支持されている。バネ部２９は、バッテリケース２１の内面に形成された凹部２１ａ内に配置されていて、係合ピン２８を該補聴器本体ケース１１の内方に向かって付勢するように設けられている。ここで、凹部２１ａは、係合ピン２８を収納可能な大きさに形成されている。
【００４３】
なお、本実施形態では、係合ピン２８をバネ部２９によって弾性支持しているが、この限りではなく、該係合ピン２８をバッテリケース２１の窪み１１ｄ内で変位させることができるとともに補聴器本体ケース１１に対して付勢可能な構成であれば、バネ以外の構成であってもよい。
【００４４】
これにより、図４に示すように、バッテリケース２１内に補聴器本体部１０が挿入されると、係合ピン２８がバネ部２９を圧縮してバッテリケース２１の内面に形成された凹部２１ａ内まで移動して（図４の白抜き矢印）、補聴器本体部１０の移動を許容する（図４の黒矢印）。そして、係合ピン２８が補聴器本体部１０の補聴器本体ケース１１に形成された窪み１１ｄ内に位置付けられると、図３に示すように、係合ピン２８はバネ部２９の弾性復元力によって補聴器本体ケース１１に押し付けられて（図４の白抜き矢印）、係合ピン２８が窪み１１ｄ内で係合状態となる。よって、補聴器本体部１０に補聴器用予備バッテリ１を容易に取り付けることができる。
【００４５】
補聴器本体部１０を補聴器用予備バッテリ１から取り外す際には、該補聴器本体部１０の移動に伴って、係合ピン２８がバネ部２９を圧縮してバッテリケース２１の凹部２１ａ内へ移動する（図４の白抜き矢印）。これにより、バッテリケース２１内での補聴器本体部１０の移動が比較的自由になって（図４の黒矢印）、補聴器用予備バッテリ１を補聴器本体部１０から容易に取り外すことができる。
【００４６】
また、バッテリケース２１の内面上に設けられた係合ピン２８によって補聴器本体部１０の位置決めを行うことができる。すなわち、係合ピン２８によって、補聴器本体部１０は、外部端子１５が補聴器用予備バッテリ１の接続端子２５に押し付けられる位置に位置付けられる。これにより、補聴器本体部１０の外部端子１５と補聴器用予備バッテリ１の接続端子２５とをより確実に電気的に接触させることができる。
【００４７】
なお、既述のとおり、バッテリケース２１の内周面には、補聴器本体ケース１１の外表面に形成された切り欠き（図示省略）に係合可能な突起部（図示省略）が設けられているため、該バッテリケース２１と補聴器ケース１１との周方向の位置合わせも可能である。バッテリケース２１と補聴器本体ケース１１との周方向の位置合わせが可能であれば、該バッテリケース２１に突部を設けるとともに補聴器ケース１１に切り欠きを設けても良い。
【００４８】
補聴器用予備バッテリ１の予備用電池２２は、充放電可能な二次電池である。この予備用電池２２は、バッテリケース２１に設けられた外部端子２７を介して充電ユニット３（図５参照）から供給される電力を充電する一方、バッテリケース２１の底板２４に設けられた接続端子２５を介して補聴器本体部１０に電力を供給する。
【００４９】
補聴器用予備バッテリ１の回路部２３は、予備用電池２２の充電を制御するための充電回路や、保護回路、昇圧回路等を有している。この回路部２３によって、外部端子２７を介して充電ユニット３から供給される電力を予備用電池２２内に効率良く且つ安全に充電することができる。回路部２３は、軽量化及び小型化のために、例えば、フレキシブル基板に回路部品等が実装された構成が好ましい。なお、回路部２３の充電回路や保護回路、昇圧回路等は、従来の二次電池で使用される各回路と同様であるため、詳しい説明を省略する。ここで、回路部２３及び外部端子２７によって充電部が構成される。
【００５０】
上述のような構成を有する補聴器用予備バッテリ１は、図５に示すように、専用の充電ユニット３によって充電される。この充電ユニット３は、例えば図５に示すように複数（図５に示す一例では４つ）の凹部３ａを有していて、該凹部３ａの底部に補聴器用予備バッテリ１の外部端子２７と接触する端子（図示省略）が設けられている。この充電ユニット３の端子は、ＡＣアダプタ４に電気的に接続されていて、該ＡＣアダプタ４によって電力が供給される。このような構成において、充電ユニット３の凹部３ａ内に、補聴器用予備バッテリ１を挿入することで、該補聴器用予備バッテリ１内の予備用電池２２を充電することができる。
【００５１】
（実施形態１の効果）
以上より、この実施形態によれば、補聴器２の補聴器本体部１０に対して、予備用電池２２を備えた補聴器用予備バッテリ１を着脱することができる。これにより、例えば補聴器２内の電池の残容量が少なくなった場合でも、補聴器用予備バッテリ１を補聴器本体部１０に取り付けることにより、補聴器２の駆動を継続することができる。
【００５２】
具体的には、補補聴器用予備バッテリ１のバッテリケース２１を、補聴器本体部１０を収納可能な有底筒状に形成するとともに、バッテリケース２１の底板２４に接続端子２５を設けることで、補聴器本体部１０の外部端子１５と補聴器用予備バッテリ１とを容易に電気的に接続することができる。
【００５３】
また、上述の構成により、補聴器用予備バッテリ１は、補聴器本体部１０に接続した状態で該補聴器本体部１０を延伸したような形状を有するため、使用者に違和感を与えるのを極力、防止することができる。
【００５４】
しかも、補聴器用予備バッテリ１のバッテリケース２１に、バネ部２９によって弾性支持された係合ピン２８を設けるとともに、補聴器本体ケース１１に窪み１１ｄを設けることで、補聴器用予備バッテリ１を補聴器本体部１０により確実に接続することができる。また、このような構成にすることで、補聴器本体部１０に対して補聴器用予備バッテリ１を容易に着脱することができる。
【００５５】
［実施形態２］
図６に、本発明の実施形態２に係る補聴器用予備バッテリ５０の概略構成を示す。この実施形態の構成は、電磁誘導を利用して予備用電池２２を充電するために、電磁誘導用の受電コイル５２を備えている点で、上述の実施形態１とは構成が異なる。以下の説明では、実施形態１の構成と異なる点についてのみ説明し、実施形態１の構成と同一の部分には同一の符号を付して説明を省略する。
【００５６】
具体的には、図６に示すように、補聴器用予備バッテリ５０のバッテリケース５１内には、実施形態１と同様の構成を有する予備用電池２２、回路部２３、底板２４及び接続端子２５等が設けられている。本実施形態に係る補聴器用予備バッテリ５０では、電磁誘導を利用して電力が供給されるように、受電コイル５２を備えている。この受電コイル５２は、図６に示すように、バッテリケース５１の底部分に配置されている。そして、受電コイル５２の上方には、磁力線の透過を防止する磁性シート５３を介して、予備用電池２２が配置されている。予備用電池２２、回路部２３、底板２４及び接続端子２５の構成は、実施形態１と同様なので詳しい説明を省略する。
【００５７】
ここで、バッテリケース５１は、上述のように、受電コイル５２を内部に配置するために、実施形態１のバッテリケース２１に比べて筒軸方向の高さが大きくなるように形成されている。
【００５８】
なお、特に図示しないが、補聴器用予備バッテリ５０を充電するために、充電ユニットにも送電コイルが設けられている。
【００５９】
このような構成により、充電ユニットの送電コイルと補聴器用予備バッテリ５０の受電コイル５２との間で、電磁誘導を利用して電力の授受を行うことができる。ここで、受電コイル５２及び回路部２３によって充電部が構成される。
【００６０】
（実施形態２の効果）
以上より、この実施形態によれば、補聴器用予備バッテリ５０に受電コイル５２を設けて、電磁誘導を利用して電力を受け取れるようにした。そのため、補聴器用予備バッテリ５０の外表面に端子等が露出しない。これにより、補聴器用予備バッテリ５０を補聴器本体部１０に接続した状態で、露出する端子等が存在しないため、該補聴器用予備バッテリ５０の防水性の向上を図れる。
【００６１】
しかも、補聴器用予備バッテリ５０を上述のような構成にすることで、該補聴器用予備バッテリ５０を図示しない充電ユニットで充電する際に、端子同士の接続が必要になる。そのため、該充電ユニットに対する補聴器用予備バッテリ５０の精度の良い位置決めが不要になる。
【００６２】
［実施形態３］
図７に、本発明の実施形態３に係る補聴器用予備バッテリ６０の概略構成を示す。この実施形態の構成は、予備用電池２２として１次電池を用いる点で、上述の実施形態１とは構成が異なる。以下の説明では、実施形態１の構成と異なる点についてのみ説明し、実施形態１の構成と同一の部分には同一の符号を付して説明を省略する。
【００６３】
具体的には、図７に示すように、予備用電池２２を１次電池によって構成することで、実施形態１に示すような回路部２３が不要になる。これにより、補聴器用予備バッテリ６０のバッテリケース６１内に収納する部品数を、実施形態１の構成に比べて少なくすることができる。そのため、バッテリケース６１のサイズを実施形態１の構成に比べて小さくすることができる。
【００６４】
（実施形態３の効果）
以上より、この実施形態によれば、補聴器用予備バッテリ６０の予備用電池２２として１次電池を用いることにより、バッテリケース６１内に収納される部品数を低減することができ、補聴器用予備バッテリ６０の小型化を図れる。
【００６５】
［実施形態４］
図８に、本発明の実施形態４に係る補聴器用予備バッテリ７０の概略構成を示す。この実施形態の構成は、ケース７１の外に電池７２を設けた点で、上述の実施形態１とは構成が異なる。以下の説明では、実施形態１の構成と異なる点についてのみ説明し、実施形態１の構成と同一の部分には同一の符号を付して説明を省略する。
【００６６】
具体的には、補聴器用予備バッテリ７０は、図８に示すように、ケース７１と、該ケース７０の外に配置され且つ該ケース７１に配線７３を介して接続される電池７２とを備えている。ケース７１は、有底筒状に形成されていて、その内側の底部に接続端子２５が設けられている。この接続端子２５は、ケース７１内で、配線７３に電気的に接続されている。このような構成により、ケース７１内の接続端子２５には、外部の電池７２から配線７３を介して電力が供給される。
【００６７】
なお、本実施形態の構成の場合、電池７２は、例えば使用者のポケット等に収納されることになる。
【００６８】
（実施形態４の効果）
以上より、この実施形態によれば、ケース７１の外に電池７２を配置するため、補聴器用予備バッテリ７０を補聴器本体部１０の大きさに合わせる必要がなくなる。これにより、電池７２のサイズを大きくすることができ、該電池７２の大容量化を図れる。よって、補聴器用予備バッテリ７０の長時間使用が可能になる。
【００６９】
［実施形態５］
図９に、本発明の実施形態５に係る補聴器用予備バッテリ８０の概略構成を示す。この実施形態の構成は、バッテリケース８１の内面開口側に、ゴム製の係合部材８２を設けた点で、上述の実施形態１とは構成が異なる。以下の説明では、実施形態１の構成と異なる点についてのみ説明し、実施形態１の構成と同一の部分には同一の符号を付して説明を省略する。
【００７０】
具体的には、補聴器用予備バッテリ８０のバッテリケース８１の内面開口側には、対向する位置に複数の凹部８１ａが形成されている。そして、この凹部８１ａ内に、ゴム製の係合部材８２（係合部）が配置されている。この係合部材８２は、先端部分が半球状である柱状に形成されていて、基端部分がバッテリケース８１の凹部８１ａ内に固定されている。これにより、係合部材８２は、半球状の先端部分がバッテリケース８１の内方に向かって突出している。
【００７１】
以上の構成により、補聴器本体部１０に対して補聴器用予備バッテリ８０を取り付ける際に、バッテリケース８１の内面上に内方に向かって突出するように設けられた係合部材８２が補聴器本体ケース１１の外表面に設けられた窪み１１ｄに係合する。これにより、実施形態１の構成と同様、補聴器本体部１０に対して補聴器用予備バッテリ８０をより確実に取り付けることができる。
【００７２】
しかも、係合部材８２はゴム製であるため、容易に変形することができる。よって、補聴器本体部１０に対して補聴器用予備バッテリ８０を容易に着脱することができる。
【００７３】
なお、本実施形態では、係合部材８２をゴム製としているが、この限りではなく、係合部材８２を弾性変形可能な他の材料によって構成してもよい。また、バッテリケース８１に設ける凹部８１ａを、該バッテリケース８１の内周面の全周に設けるとともに、係合部材をリング状の部材によって構成してもよい。さらに、係合部材８２の先端部分及び補聴器本体部１０の窪み１１ｄの各縦断面（図９に示す断面で見た場合の断面）を略矩形状にしてもよい。
【００７４】
（実施形態５の効果）
以上より、この実施形態によれば、バッテリケース８１の内面開口側に、ゴム製の係合部材８２を設けた。これにより、補聴器本体部１０に対して補聴器用予備バッテリ８０を容易に着脱できるとともに、バッテリケース８１の係合部材８２が補聴器本体ケース１１の窪み１１ｄに位置付けられた状態では、補聴器本体部１０に対して補聴器用予備バッテリ８０をより確実に接続することができる。
【００７５】
［実施形態６］
図１０に、本発明の実施形態６に係る補聴器用予備バッテリ９０の概略構成を示す。この実施形態の構成は、バッテリケース９１の内面開口側にねじ山部９１ａを設けるとともに、補聴器本体部１００の補聴器本体ケース１０１の外表面にねじ溝１０１ａを設けた点で、上述の実施形態１とは構成が異なる。以下の説明では、実施形態１の構成と異なる点についてのみ説明し、実施形態１の構成と同一の部分には同一の符号を付して説明を省略する。
【００７６】
具体的には、図１０に示すように、バッテリケース９１の内面開口側に、該バッテリケース９１の内面に沿うようにねじ山が延びるねじ山部９１ａが設けられている。このねじ山部９１ａに対応するように、補聴器本体部１００の補聴器本体ケース１０１の外表面にねじ溝１０１ａが形成されている。
【００７７】
これにより、補聴器本体部１００のねじ溝１０１ａに対してバッテリケース９１のねじ山部９１ａが嵌合するように、該補聴器本体部１００に対してバッテリケース９１を回しながら取り付ける（図１０の矢印）ことで、該補聴器本体部１００とバッテリケース９１とを接続することができる。なお、補聴器本体部１００のねじ溝１０１ａ及びバッテリケース９１のねじ山部９１ａは、両者が螺合する回転方向が図１０に矢印で示す方向とは逆方向になるように形成されていてもよい。
【００７８】
本実施形態のように、ねじ山部９１ａとねじ溝１０１ａとの嵌合によって補聴器本体部１００とバッテリケース９１とを接続することにより、両者をより強固に接続することができる。
【００７９】
なお、本実施形態では、図１０に示すように、ねじ山部９１ａ及びねじ溝部１０１ａを、バッテリケース９１の内周の３周分、形成しているが、この限りではなく、バッテリケース９１の内周面の１周分であってもよいし、４周分以上であってもよい。
【００８０】
（実施形態６の効果）
以上より、この実施形態によれば、補聴器用予備バッテリ９０のバッテリケース９１の内面開口側にねじ山部９１ａを設けるとともに、補聴器本体部１００の補聴器本体ケース１０１の外表面にねじ山部９１ａと螺合するねじ溝１０１ａを設けた。これにより、補聴器用予備バッテリ９０のねじ山部９１ａに補聴器本体部１００のねじ溝１０１ａを螺合させることで、補聴器用予備バッテリ９０を補聴器本体部１００に取り付けることができる。このように、ねじ山９１ａとねじ溝１０１ａとの螺合によって補聴器用予備バッテリ９０と補聴器本体部１００とを接続することで、両者をより強固に接続することができる。
【００８１】
［実施形態７］
図１１に、本発明の実施形態７に係る補聴器用予備バッテリ１１０と補聴器本体部１２０との接続構造を示す。この実施形態の構成は、補聴器用予備バッテリ１１０と補聴器本体部１２０とを板状の端子１１２によって電気的に接続する点で、上述の実施形態１とは構成が異なる。以下の説明では、実施形態１の構成と異なる点についてのみ説明し、実施形態１の構成と同一の部分には同一の符号を付して説明を省略する。
【００８２】
具体的には、図１１に示すように、補聴器用予備バッテリ１１０には、バッテリケース１１１の外方に延びる板状の端子１１２が２つ平行に並んで設けられている。これらの端子１１２は、特に図示しないが、バッテリケース１１１内に配置された電池と電気的に接続されている。これにより、電池から端子１１２から電力が供給される。なお、特に図示しないが、バッテリケース１１１内には、電池以外にも、該電池を充電するための充電回路や保護回路等を構成する回路部が収納されている。
【００８３】
補聴器本体部１２０の補聴器本体ケース１２１には、補聴器用予備バッテリ１１０の端子１１２が嵌合可能な溝部１２１ａが形成されている。この溝部１２１ａは、その溝側面に図示しない端子が露出するように形成されている。この端子は、補聴器本体部１２０内の各回路に電気的に接続されている。
【００８４】
以上の構成により、図１１に白抜き矢印で示すように、補聴器本体部１２０の溝部１２１ａ内に、補聴器用予備バッテリ１１０の端子１１２を挿入することで、補聴器用予備バッテリ１１０と補聴器本体部１２０とを電気的に接続することができる。よって、補聴器用予備バッテリ１１０の電池から補聴器本体部１２０に対して電力を供給することが可能になる。
【００８５】
なお、本実施形態では、補聴器用予備バッテリ１１０に設ける端子１１２を板状に形成するとともに、補聴器本体部１２０に溝部１２１ａを形成しているが、この限りではなく、端子１１２をピン状に形成するとともに補聴器本体部１２０に該ピン状の端子が挿入可能な穴部を設けても良い。
【００８６】
（実施形態７の効果）
以上より、この実施形態によれば、補聴器用予備バッテリ１１０に外方に延びる板状の端子１１２を設けるとともに、補聴器本体部１２０に該端子１１２と嵌合可能な溝部１２１ａを設けた。これにより、補聴器本体部１２０と補聴器用予備バッテリ１１０とを容易に接続することができる。
【００８７】
しかも、補聴器用予備バッテリ１１０と補聴器本体部１２０とを、板状に延びる端子１１２によって電気的に接続することで、補聴器用予備バッテリ１１０と補聴器本体部１２０との接触部分の面積を小さくすることができる。これにより、実施形態１から６に示すような大きなバッテリケースが不要になるため、補聴器用予備バッテリ１１０の小型化を図れる。また、図１１のように、補聴器本体部１２０の取り付け部分が曲面であっても、その形状に合わせることなく、よりコンパクトで且つ軽量な補聴器用予備バッテリ１１０を補聴器本体部１２０に取り付けることが可能になる。
【００８８】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００８９】
前記各実施形態では、補聴器本体部１０及びフック部１２は、耳を囲むように全体として円弧状に形成されているが、この限りではなく、補聴器として用いられる他の形状であってもよい。
【００９０】
前記各実施形態では、補聴器本体部１０にフック部１２を接続し、該フック部１２にチューブ部１３を接続しているが、この限りではなく、補聴器本体部１０に直接、チューブが接続されたタイプの補聴器であってもよい。
【００９１】
前記各実施形態では、係合ピン２８や係合部材８２によってバッテリケース２１と補聴器本体部１０とを係合したり、ねじ山部９１ａ及びねじ溝部１０１ａによってバッテリケース２１と補聴器本体部１０とを結合したりしている。しかし、これらの限りではなく、バッテリケース２１と補聴器本体部１０とを接続できる構成であれば、他の構成であってもよい。
【産業上の利用可能性】
【００９２】
本発明による補聴器用予備バッテリは、補聴器本体部に着脱可能な電池ユニットとして利用可能である。
【符号の説明】
【００９３】
１，５０，６０，７０，８０，９０，１１０：補聴器用バッテリ、２：補聴器、３：充電ユニット、１０，１００，１２０：補聴器本体部、１１，１０１：補聴器本体ケース、１１ｄ：窪み、１５：外部端子、２１，５１，６１，８１，９１  バッテリケース、２１ａ：凹部、２２：予備用電池、２３：回路部、２４：底板（底部）、２５：端子部、２７：外部端子、２８：係合ピン（係合部）、２９：バネ部（弾性支持部）、５２：受電コイル、７１：ケース、８２：係合部材（係合部）
【図１】
0005677874.tif 000002
【図２】
0005677874.tif 000003
【図３】
0005677874.tif 000004
【図４】
0005677874.tif 000005
【図５】
0005677874.tif 000006
【図６】
0005677874.tif 000007
【図７】
0005677874.tif 000008
【図８】
0005677874.tif 000009
【図９】
0005677874.tif 000010
【図１０】
0005677874.tif 000011
【図１１】
0005677874.tif 000012